(57)【要約】【課題】目視によることなく印刷不良のカードを発見してカード排出装置に送る。【解決手段】カード用プリンタ２０はＩＣカード１に対して印刷部２ａ、２ｂ、２ｃを形成する印刷装置２３と、ＩＣカード１のＩＣチップ１ａにデータを書込む第１リーダライタ２７とを備えている。ＩＣカード１の印刷部は撮像装置２８により撮像され、ＩＣカード１のＩＣチップ１ａに書込まれたデータは第２リーダライタ２９により読取られる。制御部４０は撮像装置２８からの画像データおよび第２リーダライタ２９からの読取データに基づいて不適なＩＣカード１をカード排出装置３０側へ排出する。【選択図】図１
2017065824.tif 000002
【特許請求の範囲】
【請求項１】
カード用プリンタにおいて、
カードを積層して収納するカード用ホッパーと、
前記カード用ホッパーからのカードを搬送する搬送ラインと、
前記搬送ラインに沿って設けられ、カードに対して印刷を施して印刷部を形成する印刷装置と、
前記搬送ラインの前記印刷装置の下流側に設けられ、前記印刷部を撮像する撮像装置と、  前記搬送ラインの前記撮像装置の下流側に設けられたカード排出装置と、
前記カード用ホッパー、前記搬送ライン、前記印刷装置、前記撮像装置を制御する制御部とを備え、
前記制御部は前記撮像装置からの画像情報に基づいて前記印刷部の適否を判断し、不適なカードを前記搬送ラインから切換手段を介して前記カード排出装置側へ送ることを特徴とするカード用プリンタ。
【請求項２】
前記カードはＩＣチップを含むＩＣカードからなり、
前記搬送ラインに前記ＩＣチップにデータを書込むデータ書込部と、前記データ書込部により書込まれたデータを読取るデータ読取部とが設けられ、前記制御部は前記データ読取部からの読取情報に基づいて、前記ＩＣチップに書込まれたデータの適否を判断し、不適なＩＣカードを前記搬送ラインから前記切換手段を介して前記カード排出装置側へ送ることを特徴とする請求項１記載のカード用プリンタ。
【請求項３】
前記制御部に表示部が接続され、
前記制御部は不適なカードの数が所定値に達した場合に、前記表示部にカード用プリンタの清掃指示を表示させることを特徴とする請求項１記載のカード用プリンタ。
【請求項４】
前記制御部はカードを不適と判断した場合、当該不適なカードについて適切なカードを作製する再発行指令を出力することを特徴とする請求項１記載のカード用プリンタ。
【請求項５】
前記カード排出装置は、不適なカードを無効化加工する無効化加工機構をもつことを特徴とする請求項１記載のカード用プリンタ。
【発明の詳細な説明】
【技術分野】
【０００１】
本発明は、運転免許証、クレジットカード、キャッシュカード、社員証、身分証、その他のＩＤカードを作成するために用いられるカード用プリンタに関する。
【背景技術】
【０００２】
従来より運転免許証、クレジットカード、キャッシュカード、社員証、身分証、その他のＩＤカードを作成するためカード用プリンタが用いられている。
【０００３】
このカード用プリンタは多数のＩＣカードを多層に積載したカード用ホッパーを有する。そしてカード用ホッパーからのＩＣカードが一枚ずつ搬送ラインに移されて搬送される。
【０００４】
搬送ラインにより搬送されたＩＣカードはその後、カード用プリンタ内の印刷装置に送られて印刷が施されて印刷部が形成され、さらに搬送ライン上のＩＣカードはデータ書込部に送られ、このデータ書込部においてカードに内蔵されたＩＣチップに必要な情報が書込まれる。
【０００５】
このようにして得られたＩＣカードに対してオペレータが目視により検査する。すなわちオペレータは、ＩＣカード上の印刷部を目視により検査し、適切な印刷部を有するＩＣカードのみを製品として貯えている。他方、印刷部がかすれていたり、印刷内容が誤っているＩＣカードは、オペレータにより抜き出されてハサミを入れたりすることにより、不適なＩＣカードとして廃棄される。
【０００６】
他方、ＩＣカードのＩＣチップに書込まれたデータは、お客様自身で確認してもらっている。しかしながら、ＩＣカードを目視により検査する作業は煩雑であり、またＩＣカードに書込まれたデータをお客様自身が確認する作業はお客様に負担をかけているのが実情である。
【先行技術文献】
【特許文献】
【０００７】
【特許文献１】特開２００７−９９４０７号公報
【発明の概要】
【発明が解決しようとする課題】
【０００８】
本発明はこのような点を考慮してなされたものであり、カードの印刷部を目視により検査する必要がなく、かつＩＣカードに書込まれたデータを自動的に確認することができるカード用プリンタを提供することを目的とする。
【課題を解決するための手段】
【０００９】
本発明は、カード用プリンタにおいて、カードを積層して収納するカード用ホッパーと、前記カード用ホッパーからのカードを搬送する搬送ラインと、前記搬送ラインに沿って設けられ、カードに対して印刷を施して印刷部を形成する印刷装置と、前記搬送ラインの前記印刷装置の下流側に設けられ、前記印刷部を撮像する撮像装置と、  前記搬送ラインの前記撮像装置の下流側に設けられたカード排出装置と、前記カード用ホッパー、前記搬送ライン、前記印刷装置、前記撮像装置を制御する制御部とを備え、前記制御部は前記撮像装置からの画像情報に基づいて前記印刷部の適否を判断し、不適なカードを前記搬送ラインから切換手段を介して前記カード排出装置側へ送ることを特徴とするカード用プリンタである。
【００１０】
本発明は、前記カードはＩＣチップを含むＩＣカードからなり、前記搬送ラインに前記ＩＣチップにデータを書込むデータ書込部と、前記データ書込部により書込まれたデータを読取るデータ読取部とが設けられ、前記制御部は前記データ読取部からの読取情報に基づいて、前記ＩＣチップに書込まれたデータの適否を判断し、不適なＩＣカードを前記搬送ラインから前記切換手段を介して前記カード排出装置側へ送ることを特徴とするカード用プリンタである。
【００１１】
本発明は、前記制御部に表示部が接続され、前記制御部は不適なカードの数が所定値に達した場合に、前記表示部にカード用プリンタの清掃指示を表示させることを特徴とするカード用プリンタである。
【００１２】
本発明は、前記制御部はカードを不適と判断した場合、当該不適なカードについて適切なカードを作製する再発行指令を出力することを特徴とするカード用プリンタである。
【００１３】
本発明は、前記カード排出装置は、不適なカードを無効化加工する無効化加工機構をもつことを特徴とするカード用プリンタである。
【発明の効果】
【００１４】
以上のように本発明によれば、印刷装置によりカードに印刷された印刷部を撮像装置で撮像し、撮像装置からの情報に基づいて制御部により不適なカードをカード排出装置へ送ることができる。
【図面の簡単な説明】
【００１５】
【図１】図１は本発明によるカード用プリンタの全体を示す全体構成図。
【図２】図２は本発明によるカード用プリンタの作用を示すフローチャート。
【図３】図３（ａ）はＩＣカードの表面を示す図、図３（ｂ）はＩＣカードの裏面を示す図、図３（ｃ）は追記情報ラベルを示す図。
【発明を実施するための形態】
【００１６】
以下、図面を参照して本発明の実施の形態について説明する。
【００１７】
図１乃至図３は本発明によるカード用プリンタの一実施の形態を示す図である。
【００１８】
図１に示すカード用プリンタ２０は、図３（ａ）（ｂ）（ｃ）に示すようなＩＣチップ１ａを含むＩＣカード１の表面２に対して各個人の必要な表面情報２ａおよび顔画像情報２ｂを印字（印刷ともいう）するとともに、ＩＣカード１の裏面３に対して裏面情報３ａを印字（印刷ともいう）し、ＩＣチップ１ａ内に表面情報（表面データともいう）２ａおよび裏面情報（裏面データともいう）３ａを書込んで、例えば社員カード、銀行カード、運転免許証等のＩＤカードを作製するものである。この場合、裏面情報のうちＩＣカード１の裏面３に印字できない追記情報５ａは、追記情報ラベル５に印字される。
【００１９】
ここで必要な表面情報２ａとは、当該個人の氏名、および住所等が考えられる。また裏面情報３ａとは表面に書き込めない住所の詳細情報が考えられ、さらに追記情報ラベル５に表記される追記情報５ａとは個人の詳細な運転条件等が考えられる。またＩＣカード１の表面２に個人のＩＤ番号（ＩＤ情報）２ｃも、印字される。
【００２０】
またカード用プリンタ２０においては、ＩＣカード１のＩＣチップ１ａ内に、表面情報２ａが書込まれる。
【００２１】
ところで、ＩＣカード１の表面２には印刷領域６Ａを画定する領域６が設けられ、ＩＣカード１の裏面３にも印刷領域７Ａを画定する領域７が設けられている。このような領域６、領域７は、例えば、罫線などで範囲を指定して設けることができる。また、具体的な範囲の領域６、領域７を設けるのではなく、表面２の全面を印刷領域６Ａとして設け、裏面３の全面を印刷領域７Ａとして設けるようにてしてもよい。
【００２２】
さらにカード用プリンタ２０の下流側には、ＩＣカード１のＩＣチップ１ａ内に裏面情報３ａを書き込み、かつＩＣカード１の裏面に裏面情報３ａを印字する裏面書込機能付プリンタ（図示せず）が接続されている。
【００２３】
さらにこの裏面書込機能付プリンタには、ＩＣカード１のＩＣチップ１ａから裏面情報３ａを読み取り、裏面情報３ａのうちＩＣカード１の裏面３に印字できない追記情報５ａを印字して追記情報ラベル５を作製するとともに、この追記情報ラベル５を発行する追記情報ラベル発行部（図示せず）が接続されている。
【００２４】
なお、カード用プリンタ２０はＩＣカードの代わりにＩＣチップを有しないカードに対して印字のみを施すこともできる。
【００２５】
次に図１によりＩＣカード１に対して必要な情報を印字し、かつＩＣチップ１ａ内に必要な情報を書込むカード用プリンタ２０の概略を示す。
【００２６】
図１に示すようにカード用プリンタ２０は、ケーシング２０Ａと、ケーシング２０Ａ内上方に設けられＩＣカード１を積層して収納するカード用ホッパー２１と、カード用ホッパー２１からのＩＣカード１を搬送する搬送ライン３２と、搬送ライン３２に沿って配置されＩＣカード１の表面２に顔画像情報２ｂを印字するＹ，Ｍ印刷装置（イエロー、マゼンタ印刷装置）２４と、Ｃ，Ｐ印刷装置（シアン、オーバーコート印刷装置）２５とを有している。このうちＹ，Ｍ印刷装置２４はＩＣカード１の表面２にイエロー印刷を施すとともに、ＩＣカード１の表面２にマゼンタ印刷を施すものである。またＣ，Ｐ印刷装置２５はＩＣカード１の表面２にシアン印刷を施すとともに、イエロー印刷、マゼンタ印刷およびシアン印刷が施されたＩＣカード１上のインキをＩＣカード１の表面に定着させるオーバーコート印刷を施すものである。さらにＣ，Ｐ印刷装置２５の下流側にはＩＣカード１の表面２に表面情報２ａおよびＩＤ情報２ｃを印字する表面印字装置２６が設けられている。この場合、Ｙ，Ｍ印刷装置２４と、Ｃ，Ｐ印刷装置２５と、表面印字装置２６によって印刷装置２３が構成されている。このように印刷装置２３によって、表面情報２ａ、顔画像情報２ｂ、ＩＤ情報２ｃを印刷することができ、これら表面情報２ａ、顔画像情報２ｂ、およびＩＤ情報２ｃによって印刷部２ａ、２ｂ、２ｃが構成される。なお、これらのＹ，Ｍ印刷装置２４、Ｃ，Ｐ印刷装置２５をそれぞれ独立して設けて、イエロー印刷、マゼンタ印刷、シアン印刷およびオーバーコート印刷を施すようにしてもよい。
【００２７】
また搬送ライン３２に沿って、表面印字装置２６の下流側には第１リーダライタ（データ書込部）２７が設置されている。この第１リーダライタ２７は、ＩＣカード１のＩＣチップ１ａに表面情報２ａおよびＩＤ情報２ｃを書込むものである。また搬送ライン３２に沿って、第１リーダライタ２７の下流側にはＩＣカード１の表面に印刷された表面情報２ａ、顔画像情報２ｂおよびＩＤ情報２ｃからなる印刷部２ａ、２ｂ、２ｃを撮像するスキャナまたはカメラからなる撮像装置２８が設置されている。さらに搬送ライン３２に沿って撮像装置２８の下流側には、第２リーダライタ（データ読取部）２９が設置されている。この第２リーダライタ２９は、ＩＣカード１のＩＣチップ１ａに第１リーダライタ２７により書込まれた表面情報２ａおよびＩＤ情報２ｃを読取るものである。
【００２８】
撮像装置２８で撮像された画像情報および第２リーダライタ２９により読取られた読取情報は、いずれも後述する制御部４０へ送られる。
【００２９】
さらにまた搬送ライン３２には第２リーダライタ２９の下流側に、切換機構３０Ａを介してカード排出装置３０が設置されている。
【００３０】
上述のように、撮像装置２８からの画像情報および第２リーダライタ２９からの読取情報は制御部４０に送られ、制御部４０はこれらの画像情報および読取情報に基づいてＩＣカード１の印刷部２ａ、２ｂ、２ｃおよびＩＣチップ１ａに書込まれた情報の適否を判断し、不適と判断されたＩＣカード１が発生した場合は、搬送ライン３２に設けられた切換機構３０Ａを作動させて当該不適と判断されたＩＣカード１を搬送ライン３２からカード排出装置３０側へ送るようになっている。
【００３１】
なお、カード排出装置３０は、不適と判断されたＩＣカード１に穴あけなどの無効化加工を施す無効化加工機構を内蔵している。
【００３２】
また搬送ライン３２に沿って、カード排出装置３０の下流側には、ＩＣカード１の表面２に印字された表面情報２ａおよび顔画像情報２ｂを保護するためＩＣカード１の表面２上に保護シートを設ける保護シート形成部３４が設けられている。
【００３３】
また搬送ライン３２に沿って保護シート形成部３４の下流側には、表面情報２ａ、顔画像情報２ｂ、ＩＤ情報２ｃが表面２に印字され、かつＩＣチップ１ａ内に表面情報２ａおよびＩＤ情報２ｃが書込まれたＩＣカード１のうち、制御部４０により適切と判断されたＩＣカード１を受け取る正常スタッカ３５が設置されている。
【００３４】
正常スタッカ３５に送られたＩＣカード１は、その後、裏面書込機能付プリンタおよび追記情報ラベル発行部へ順次送られる。
【００３５】
また上述した搬送ライン３２、カード用ホッパー２１、Ｙ，Ｍ印刷装置２４、Ｃ，Ｐ印刷装置２５、表面印字装置２６、第１リーダライタ２７、撮像装置２８、第２リーダライタ２９、切換機構３０Ａ、カード排出装置３０、保護シート形成部３４、および正常スタッカ３５はいずれも制御部４０に接続され、この制御部４０により駆動制御される。
【００３６】
また制御部４０は撮像装置２８からの画像情報および第２リーダライタ２９からの読取情報と、予め入手された元データとを比較してＩＣカード１の適否を判断するデータ比較部４０ａと、データ比較部４０ａにおいて不適と判断されたＩＣカード１について、同一のＩＣカード１を再度発行する旨の再発行指令を出力する再発行指令部４０ｂとを有している。
【００３７】
更にまた、制御部４０には表示部３６が接続されている。
【００３８】
また制御部４０は不適と判断されたＩＣカード１の数が所定値に達した場合、表示部３６に対してカード用プリンタの清掃指示を表示するようになっている。
【００３９】
例えばＩＣカード１の表面２に印刷された表面情報２ａ、顔画像情報２ｂ、およびＩＤ情報２ｃに文字のかすれ、欠け等が発生した場合、制御部４０は当該ＩＣカード１を不適と判断し、不適と判断されたＩＣカード１の数が所定値、例えば１０枚に達した場合に、表示部３６に対して信号を出力し、カード用ホッパー２１、搬送ライン３２、Ｍ，Ｙ印刷装置２４、Ｃ，Ｐ印刷装置２５および表面印字装置２６等を清掃する清掃指示を表示させる。
【００４０】
次にこのような構成からなる本実施の形態の作用について図２を参照して説明する。
【００４１】
まずカード用プリンタ２０のカード用ホッパー２１内に、複数のＩＣカード１を多層に積載したカードマガジン（図示せず）が装着される（図１）。
【００４２】
このときカードマガジン内には、印字および書込みがなされていないＩＣカード１が積載されている。
【００４３】
次に印字および書込みがなされていないＩＣカード１が、カード用ホッパー２１から排出される。その後ＩＣカード１は搬送ライン３２へ送られ、ＩＣカード１は搬送ライン３２に沿って搬送される。
【００４４】
搬送ライン３２に沿ってＩＣカード１が搬送される際、このＩＣカード１の表面２に対してＹ，Ｍ印刷装置（イエロー、マゼンタ印刷装置）２４およびＣ，Ｐ印刷装置（シアン、オーバーコート印刷装置）２５によって、各々イエロー印刷、マゼンタ印刷、およびシアン印刷が施され、このようにしてＩＣカード１の表面２に顔画像情報２ｂが印字される。
【００４５】
またＣ，Ｐ印刷装置２５において、イエロー印刷、マゼンタ印刷、およびシアン印刷によって印字された顔画像情報２ｂのインキが加熱によってオーバーコートされてＩＣカード１の表面に定着される。
【００４６】
なお、Ｙ，Ｍ印刷装置２４およびＣ，Ｐ印刷装置２５の各々において、ＩＣカード１は前方へ送られた後、一度戻され、その後再び前方へ送られる。例えば、Ｙ，Ｍ印刷装置２４においては、ＩＣカード１は１度目の送り工程中にイエロー印刷が施され、一度戻された後、２度目の送り工程中にマゼンタ印刷が施される。
【００４７】
その後ＩＣカード１は搬送ライン３２によって表面印字装置２６に送られ、この表面印字装置２６においてＩＣカード１の表面２に表面情報２ａおよびＩＤ情報２ｃが印字される。  次にＩＣカード１は搬送ライン３２に沿って第１リーダライタ２７まで送られ、この第１リーダライタ２７によりＩＣカード１のＩＣチップ１ｃに表面情報２ａおよびＩＤ情報２ｃが書込まれる。この場合、制御部４０には表面情報２ａおよびＩＤ情報の元データが予め格納されており、制御部４０は第１リーダライタ２７を駆動制御してＩＣチップ１ｃに表面情報２ａおよびＩＤ情報２ｃを書込む。
【００４８】
次にＩＣカード１は搬送ライン３２に沿って撮像装置２８まで送られ、この撮像装置２８によって印刷装置２３により印刷された表面情報２ａ、顔画像情報２ｂおよびＩＤ情報２ｃからなる印刷部が撮像され、撮像装置２８により撮像された画像情報は制御部４０へ送られる。
【００４９】
次にＩＣカード１は搬送ライン３２に沿って第２リーダライタ２９まで送られ、この第２リーダライタ２９によりＩＣカード１のＩＣチップ１ｃに書込まれたデータが読取られる。
【００５０】
そして第２リーダライタ２９により読取られた読取データは制御部４０へ送られる。
【００５１】
制御部４０には、上述のように撮像装置２８により取得した画像情報（画像データ）および第２リーダライタ２９により取得した読取情報（読取データ）が送られており、制御部４０は撮像装置２８からの画像データと、予め格納された元データをデータ比較部４０ａにおいて比較する。また制御部４０は第２リーダライタ２９からの読取データと、予め格納された元データをデータ比較部４０において比較する。
【００５２】
具体的には制御部４０は撮像装置２８により取得した画像データについて、表面情報２ａ、顔画像情報２ｂ、ＩＤ情報２ｃに関する文字のかすれ、欠け等を元データと比較して発見する。また制御部４０は第２リーダライタ２９により取得した読取データについて、表面情報２ａおよびＩＤ情報２ｃに関する情報の誤り、もれ等を発見する。
【００５３】
制御部４０は次に、撮像装置２８からの画像データおよび第２リーダライタ２９からの読取データの双方が適切と判断した場合、当該ＩＣカード１を適切なＩＣカード１として判断して、第２リーダライタ２９から搬送ライン３２により保護シート形成部３４へ送る。次にこの保護シート形成部３４において、適切と判断されたＩＣカード１の表面２に保護シートが形成され、保護シートが形成されたＩＣカード１はその後搬送ライン３２により正常スタッカ３５まで送られて貯えられる。正常スタッカ３５内のＩＣカード１は、その後必要に応じて裏面書込機能付プリンタおよび追加情報ラベル発行部へ送られる。
【００５４】
他方、制御部４０は、撮像装置２８からの画像データおよび第２リーダライタ２９からの読取データのうち、少なくとも一方が不適と判断した場合、当該ＩＣカード１を不適なＩＣカード１として判断する。
【００５５】
次に制御部４０は不適なＩＣカード１のうち、撮像装置２８からの画像データが適切と判断したＩＣカード１については、このＩＣカード１を保護シート形成部３４へ送ることなく、第２リーダライタ２９から搬送ライン３２を通り、切換機構３０Ａを介してカード排出装置３０側へ送る。次に当該不適なＩＣカード１はカード排出装置３０の無効化加工機構により穴あけなどの無効化加工され、不適なＩＣカード１として貯えられる。
【００５６】
また制御部４０は不適なＩＣカード１のうち撮像装置２８からの画像データが不適と判断したＩＣカード１については、このＩＣカード１の表面情報２ａ、顔画像情報２ｂおよびＩＤ番号２ｃからなる印刷部に文字のかすれ、欠け等の印刷不良が生じたものと判断し、印刷不良のＩＣカード１の数をカウントしていく。
【００５７】
そして印刷不良のＩＣカード１の数が所定値に達しない場合、制御部４０はこの不適なＩＣカードに保護シート形成部３４へ送ることなく、第２リーダライタ２９から搬送ライン３２を通り、切換機構３０Ａを介してカード排出装置３０側へ送る。次に当該不適なＩＣカード１はカード排出装置３０の無効化加工機構により穴あけなどの無効化加工され、不適なＩＣカード１として貯えられる。
【００５８】
他方、印刷不良のＩＣカード１の数が所定値以上になった場合、例えば１０枚以上に達した場合、制御部４０はカード用プリンタ２０に汚れが発生したものと判断する。
【００５９】
この場合、制御部４０は表示部３６に対して信号を出力し、カード用ホッパー２１、搬送ライン３２、Ｍ，Ｙ印刷装置２４、Ｃ，Ｐ印刷装置２５および表面印字装置２６のいずれかに汚れが生じたものと判断して表示部３６に対して清掃指示を表示させる。
【００６０】
この場合、制御部４０は不適なＩＣカード１を保護シート形成部３４に送ることなく、第２リーダライタ２９から搬送ラインを通り、切換機構３０Ａを介してカード排出装置３０側へ送る。次に当該不適なＩＣカード１はカード排出装置３０の無効化加工機構により穴あけなどの無効化加工され、不適なＩＣカードとして貯えられる。
【００６１】
また制御部４０は不適なＩＣカード１が発生した場合、再発行指令部４０ｂからカード用プリンタ２０側へ再発行指令を出力し、上述と同様の作用により新たなＩＣカード１を作製する。
【００６２】
以上のように、本実施の形態によれば、撮像装置２８からの画像データおよび第２リーダライタ２９からの読取データが制御部４０へ送られ、この制御部４０において画像データおよび読取データの適否が判断される。そして、不適と判断されたＩＣカード１を搬送ライン３２から切換機構３０Ａを介してカード排出装置３０側へ送ることができる。このため完成したＩＣカード１をオペレータが検査して印刷部２ａ、２ｂ、２ｃの適否を判断したり、使用者がＩＣカード１のＩＣチップ１ａ内のデータをチェックする必要がなく、このような煩雑な確認作業を取除くことができる。
【００６３】
なお、上記実施の形態において、ＩＣチップ１ａを含むＩＣカード１を作製する例を示したが、これに限らずカード用プリンタ２０によりＩＣチップ１ａを含まないカードを印刷装置２３の印刷により作製することができる。
【００６４】
またデータ書込部としての第１リーダライタ２７を設置するとともに、データ読取部としての第２リーダライタ２９を設置した例を示したが、これに限らずデータ書込みとデータ読取りを行なう１台のリーダライタを設置してもよい。
【符号の説明】
【００６５】
１  ＩＣカード
１ａ  ＩＣチップ
２  表面
３  裏面
６  領域
６Ａ  印刷領域
７  領域
７Ａ  印刷領域
２０  カード用プリンタ
２１  カード用ホッパー
２４  Ｙ，Ｍ印刷装置
２５  Ｃ，Ｐ印刷装置
２６  表面印字装置
２７  第１リーダライタ
２８  撮像装置
２９  第２リーダライタ
３０  カード排出装置
３０Ａ  切換機構
３２  搬送ライン
３４  保護シート形成部
３５  正常スタッカ
４０  制御部
４０ａ  データ比較部
４０ｂ  再発行指令部
【図１】
2017065824.tif 000003
【図２】
2017065824.tif 000004
【図３】
2017065824.tif 000005